(57)【特許請求の範囲】
【請求項１】
一端を台板に固定した軸を具備し、該軸上を搬送される用紙の幅方向の位置を規制する用紙ガイドにおいて、
前記軸は、回転可能で且つ軸方向の約中央位置から互いに螺旋方向が逆方向の螺旋状溝を設けると共に、略中央部の周方向に回転案内部を設けた螺旋軸と、
前記螺旋軸を収納し、外周の所定位置に軸方向に伸びる開口部が形成され、且つ一端が前記台板に固定する筒状軸と、
前記筒状軸の略中央部に固定され前記螺旋軸の回転案内部に係合する係合部と、
中心部に前記筒状軸が貫通する穴が形成されると共に、前記筒状軸の開口部を通して前記螺旋軸の螺旋溝に係合する突起部を備え、前記螺旋軸の回転により螺旋溝に係合する突起部を介して互いに該筒状軸に沿って接近及び離間する一対のガイド板と、
を備えたことを特徴とする用紙ガイド。
【請求項２】
ロール用紙の中心穴に一端を台板に固定した軸を挿入し、該ロール用紙の幅方向の位置を規制するロール用紙セット軸において、
前記軸は、回転可能で且つ軸方向の約中央位置から互いに螺旋方向が逆方向の螺旋状溝を設けると共に、略中央部の周方向に回転案内部を設けた螺旋軸と、
前記螺旋軸を収納し、外周の所定位置に軸方向に伸びる開口部が形成され、且つ一端が前記台板に固定する筒状軸と、
前記筒状軸の略中央部に固定され前記螺旋軸の回転案内部に係合する係合部と、
中心部に前記筒状軸が貫通する穴が形成されると共に、前記筒状軸の開口部を通して前記螺旋軸の螺旋溝に係合する突起部を備え、前記螺旋軸の回転により螺旋溝に係合する突起部を介して互いに該筒状軸に沿って接近及び離間する一対の押え部材と、
を備えたことを特徴とするロール用紙セット軸。
【請求項３】
前記台板側の反対側の押え部材は、前記螺旋軸の螺旋溝に係合する突起部を具備し軸方向に移動可能な移動部材と、
前記移動部材に対して着脱自在な押え板とを具備することを特徴とする請求項２に記載のロール用紙セット軸。
【請求項４】
前記請求項１に記載の用紙ガイドを具備することを特徴とするプリンタ。
【請求項５】
前記請求項２又は３に記載のロール用紙セット軸を具備することを特徴とするプリンタ。
【発明の詳細な説明】
【０００１】
【発明の属する技術分野】
本発明はプリンタ等に用いられるロール用紙から繰り出された用紙をガイドする用紙ガイド、該ロール用紙をセットするロール用紙セット軸、該用紙ガイド又はロール用紙セット軸を具備するプリンタに関するものである。
【０００２】
【従来の技術】
上記のようなロール用紙を用いるプリンタにおいては、用紙と印字部はその幅方向の中心線が互いに一致する方が、用紙の中心線を挟んで左右均一に印字できて好ましい。特に印字部にサーマルプリンタを用いる場合は、印字ヘッドの背後をバネで押して用紙を押圧するので、印字ヘッドの中心線と用紙の中心線がずれていると、用紙の該中心線を挟んで左右の押圧力が異なり、左右で印字濃度が不均一になるという問題があった。
【０００３】
従来、上記印字ヘッドの中心線と用紙の中心線を一致させる技術としては、特開昭６２−８３９５８号公報に開示されたものがある。この技術はロール用紙の両端を保持する保持部材を外部のＸ字状レバーで支え、このレバーの交点をピンでプリンタ本体に支え、保持部材の一方を動かせば他方は逆方向に動いてセンタリングできるように構成されたものである。
【０００４】
【発明が解決しようとする課題】
しかしながら、上記の技術はＸ字状レバーを小型化することが難しく、且つ邪魔となるという問題があった。そこでロール用紙の両端に接するそれぞれの部材を連結移動させることなく、それぞれ手動で目盛に合わせて動かしてセンタリングする方法も行われているが、作業性とセンタリング精度に問題があった。また、後者の方法は連続用紙を扱うプリンタの用紙ガイドとしても採用されているが上記と同様な問題があった。
【０００５】
本発明は上述の点に鑑みてなされたもので、センタリングのための部材がロール用紙セットに邪魔にならず、小型でセンタリングが精度良く、センタリング作業が容易にできる用紙ガイド、ロール用紙セット軸及び該用紙ガイド、ロール用紙セット軸を用いたプリンタを提供することを目的とする。
【０００６】
【課題を解決するための手段】
上記課題を解決するため請求項１に記載の発明は、一端を台板に固定した軸を具備し、該軸上を搬送される用紙の幅方向の位置を規制する用紙ガイドにおいて、軸は、回転可能で且つ軸方向の約中央位置から互いに螺旋方向が逆方向の螺旋状溝を設けると共に、略中央部の周方向に回転案内部を設けた螺旋軸と、螺旋軸を収納し、外周の所定位置に軸方向に伸びる開口部が形成され、且つ一端が前記台板に固定する筒状軸と、筒状軸の略中央部に固定され螺旋軸の回転案内部に係合する係合部と、中心部に筒状軸が貫通する穴が形成されると共に、筒状軸の開口部を通して螺旋軸の螺旋溝に係合する突起部を備え、螺旋軸の回転により螺旋溝に係合する突起部を介して互いに該筒状軸に沿って接近及び離間する一対のガイド板と、を備えたことを特徴とする。
【０００７】
また、請求項２に記載の発明は、ロール用紙の中心穴に一端を台板に固定した軸を挿入し、該ロール用紙の幅方向の位置を規制するロール用紙セット軸において、軸は、回転可能で且つ軸方向の約中央位置から互いに螺旋方向が逆方向の螺旋状溝を設けると共に、略中央部の周方向に回転案内部を設けた螺旋軸と、螺旋軸を収納し、外周の所定位置に軸方向に伸びる開口部が形成され、且つ一端が前記台板に固定する筒状軸と、筒状軸の略中央部に固定され螺旋軸の回転案内部に係合する係合部と、中心部に筒状軸が貫通する穴が形成されると共に、筒状軸の開口部を通して螺旋軸の螺旋溝に係合する突起部を備え、螺旋軸の回転により螺旋溝に係合する突起部を介して互いに該筒状軸に沿って接近及び離間する一対の押え部材と、を備えたことを特徴とする。
【０００８】
また、請求項３に記載の発明は、請求項２に記載のロール用紙セット軸において、台板側の反対側の押え部材は、螺旋軸の螺旋溝に係合する突起部を具備し軸方向に移動可能な移動部材と、移動部材に対して着脱自在な押え板とを具備することを特徴とする。
【０００９】
また、請求項４に記載の発明は、請求項１に記載の用紙ガイドを具備するプリンタにある。
【００１０】
また、請求項５に記載の発明は、前記請求項２又は３に記載のロール用紙セット軸を具備するプリンタにある。
【００１１】
【発明の実施の形態】
以下、本発明の実施の形態例を図面に基づいて説明する。図１は請求項１に記載の発明に係る用紙ガイドの構造を示す図である。図１において、１１は本用紙ガイド１０が取付けられるプリンターの台板であり、本用紙ガイド１０は螺旋軸１２、該螺旋軸１２が収納される筒状軸１３を具備し、筒状軸１３の一端は台板１１に固定されている。また、螺旋軸１２は軸方向の約中央位置から互いに螺旋方向が逆方向の螺旋状溝を設け、しかも、それぞれの螺旋方向に対して２本の溝を設けてなる螺旋軸であり、筒状軸１３内で回転自在に配置されている。
【００１２】
螺旋軸１２の略中央部には回転案内溝１５が設けられており、該回転案内溝１５内に筒状軸１３の中央部に固定されたピン１６の先端部が係合されている。１４は螺旋軸の他端に固定された操作つまみであり、該操作つまみ１４を回転させることにより、螺旋軸１２はその回転案内溝１５がピン１６に案内されて回転するようになっている。
【００１３】
１７は台板１１側のガイド板、１８は操作つまみ１４側のガイド板である。ガイド板１７及び１８はそれぞれその中心部に筒状軸１３が貫通する径の穴が形成されている。ガイド板１７及び１８にはそれぞれ後に詳述するように、該穴の内壁面から、筒状軸１３の外周部に設けられた開口部１３ｄ、１３ｅに突出し、その先端部が螺旋軸１２の螺旋溝に係合するピン（突起部）２１及び２２が設けられている。
【００１４】
上記構造の用紙ガイド１０において、操作つまみ１４を回転し、螺旋軸１２を回転させると、その回転方向により螺旋溝に係合するピン２１及び２２を介して、ガイド板１７及び１８は互いに該筒状軸１３に沿って接近又は離間するように移動する。従って、該一対のガイド板１７及び１８の間を搬送される用紙Ｗの幅寸法により、操作つまみ１４を回転させて、ガイド板１７及び１８は互いに接近又は離間させることにより、用紙Ｗのセンタリングを容易に且つ精度良く行うことができる。以下、上記用紙ガイドを構成する各部品の構成を説明する。
【００１５】
螺旋軸１２はプリンターの台板１１側の螺旋軸部材１２−１と操作つまみ１４側の螺旋軸部材１２−２とから構成されている。図２はプリンターの台板１１側の螺旋軸部材１２−１の構造を示す図で、同図（ａ）は正面図、同図（ｂ）は左側面図、同図（ｃ）は右側面図である。図３は操作つまみ１４側の螺旋軸部材１２−２の構造を示す図で、同図（ａ）は正面図、同図（ｂ）は左側面図、同図（ｃ）は右側面図である。
【００１６】
台板１１側の螺旋軸部材１２−１は図２に示すように、中心部に一端から軸方向に所定の寸法の穴１２−１ｄが形成されると共に、該一端から軸方向に所定の寸法の螺旋溝１２−１ａ、１２−１ａ’が形成され、該螺旋溝１２−１ａ、１２−１ａ’の終端から軸方向に所定寸法の小径部１２−１ｅが形成され、更に小径部１２−１ｅの終端に前記回転案内溝１５を形成するための大径の２個のフランジ部１２−１ｂ、１２−１ｃが形成され、更に他端には小径の突出部１２−１ｆが形成されている。
【００１７】
操作つまみ１４側の螺旋軸部材１２−２は一端から軸方向に所定寸法の小径部１２−２ｂが形成され、該小径部１２−２ｂの終端から他端まで螺旋溝１２−２ａ、１２−１ａ’が形成され、中心部に一端から他端まで軸方向に所定の寸法の穴１２−２ｃが形成されている。該穴１２−２ｃの内径は螺旋軸部材１２−１の他端の突出部１２−１ｆが嵌入れる大きさである。螺旋軸部材１２−１の他端面には操作つまみ１４の穴に嵌合する一対の嵌合突起部１２−２ｄが設けられている。
【００１８】
螺旋軸１２は螺旋軸部材１２−１の他端の突出部１２−１ｆを螺旋軸部材１２−２は一端の穴１２−２ｃに嵌入し、螺旋軸部材１２−２の小径部１２−２ｂのピン穴１２−２ｅと螺旋軸部材１２−１の突出部１２−１ｆのピン穴１２−１ｇにピンを嵌合することにより螺旋軸部材１２−１と螺旋軸部材１２−２を連結して構成される。これにより、螺旋軸部材１２−１の螺旋溝１２−１ａ、１２−１ａ’と螺旋軸部材１２−２の螺旋溝１２−２ａ、１２−２ａ’は互いに螺旋方向が逆方向となる。
【００１９】
図４は筒状軸１３の構造を示す図で、同図（ａ）は正面図、同図（ｂ）は左側面図、同図（ｃ）は同図（ｂ）のＡ−Ａ断面図である。筒状軸１３は前記螺旋軸１２を収納できる内径を有する筒状部材からなり、一端は閉塞部１３ａで閉塞され他端は開口された構造である。一端の閉塞部１３ａの内面には螺旋軸１２を構成する螺旋軸部材１２−１の穴１２−１ｄに挿入される螺旋軸支持突起部１３ｂが形成されている。また、該閉塞部１３ａには筒状軸１３の一端を台板１１に固定するためのビス穴１３ｃが形成されている。
【００２０】
また、筒状軸１３の外周の所定位置に軸方向に伸びる開口部１３ｄ及び１３ｅが形成されている。該開口部１３ｄ及び１３ｅはそれぞれ螺旋軸部材１２−１の螺旋溝１２−１ａ、１２−１ａ’及び螺旋軸部材１２−２の螺旋溝１２−２ａ、１２−２ａ’に対向しその寸法に略等しくなっている。また、筒状軸１３の中央部外周には前記螺旋軸１２の回転案内溝１５に先端が係合するピン１６を嵌入する一対の穴１３ｆが設けられている。
【００２１】
図５はガイド板１７の構造を示す図で、同図（ａ）は正面図、同図（ｂ）は左側面図である。なお、ガイド板１８はガイド板１７と略同じ構造であるのでその説明は省略する。ガイド板１７は中心部に筒状軸１３が貫通する穴１７ａが形成され、その一端には用紙Ｗの縁部を案内する案内面１７ｃを有するフランジ部１７ｂが形成され、他端部は小径部１７ｄとなっている。該小径部１７ｄの所定の位置には前記先端が螺旋軸部材１２−１の螺旋溝１２−１ａ、１２−１ａ’にそれぞれ係合するピン２１が嵌入される穴１７ｅが前後に形成されている。そのため螺旋軸１２の回転に応じてガイド板１７はスムーズに移動できるようになっている。
【００２２】
図６は操作つまみ１４の構造を示す図で、同図（ａ）は一部断面正面図、同図（ｂ）は左側面図である。操作つまみ１４は図示するように円板状でその一側面には前記螺旋軸１２を構成する螺旋軸部材１２−２の他端の嵌合突起部１２−２ｄを嵌入する一対の嵌入穴１４ａが形成されて、他側面にはガイド板１７及び１８が互いに接近する回転方向を示す矢印１４ｂ等を設けている。
【００２３】
上記構造の用紙ガイドの組立ては、先ず、筒状軸１３の一端をプリンターの台板１１にビス２３で固定する。次に閉塞部１３ａの螺旋軸支持突起部１３ｂを螺旋軸部材１２−１の一端の穴１２−１ｄに挿入するように、螺旋軸１２を筒状軸１３内に収納する。続いて、筒状軸１３の一対の穴１３ｆにピン１６を嵌入してその先端を螺旋軸１２の回転案内溝１５に係合させる。次に、ガイド板１７、１８のその中央部に設けられた穴に筒状軸１３を挿入すると共に、先端が螺旋軸部材１２−１の螺旋溝１２−１ａ、１２−１ａ’及び螺旋軸部材１２−２の螺旋溝１２−２ａ、１２−２ａ’に係合するピン２１、ピン２２を嵌入して、ガイド板１７、ガイド板１８を取り付ける。その後操作つまみ１４をその嵌入穴１４ａに螺旋軸１２を構成する螺旋軸部材１２−２の嵌合突起部１２−２ｄを嵌入して取り付ける。
【００２４】
用紙ガイドを上記構造とすることにより、一対のガイド板１７とガイド板１８との間隔を軸方向に互いに接近及び離間させて用紙Ｗ幅に合わせるセンタリング機構は、筒状軸１３内に収納しているので、操作等において邪魔になることがなく、センタリング作業が容易で、且つ精度のよいセンタリングを行うことができる。ガイド板１７及びガイド板１８を直接動かして位置を調整するのではなく、螺旋軸１２の回転により螺旋溝に係合するピン２１、２２を介して互いに筒状軸１３に沿って接近及び離間する構成なので、ガイド板１７及びガイド１８の軸方向にずれようとする力に対して抗力が大きく、ガイド板１７及びガイド位置１８が設定した位置から簡単にずれることはない。
【００２５】
図７及び図８は請求項２に記載の発明に係るロール用紙セット軸の構造を示す図で、図７は縦断面図、図８は移動部材３３と押え板３２の係合状態を示す図である。図７及び図８において、図１乃至図６と同一符号を付した部分は同一又は相当部分を示す。１１は本ロール用紙セット軸３０が取付けられるプリンターの台板であり、本ロール用紙セット軸３０は螺旋軸１２、該螺旋軸１２が収納される筒状軸１３を具備し、筒状軸１３の一端は台板１１にビス２３、２３で固定されている。また、螺旋軸１２は軸方向の約中央位置から互いに螺旋方向が逆方向の螺旋溝１２−１ａ、１２−１ａ’と１２−２ａ、１２−２ａ’を設けてなる螺旋軸であり、筒状軸１３内に回転自在に配置されている。
【００２６】
螺旋軸１２の略中央部には回転案内溝１５が設けられており、該回転案内溝１５内に筒状軸１３の中央部に固定されたピン１６の先端部が係合するようになっている。螺旋軸１２の他端に固定された操作つまみ１４を回転させることにより、螺旋軸１２はその回転案内溝１５がピン１６に案内されて回転するようになっている。
【００２７】
３１は台板１１側の押え板、３２は操作つまみ１４側の押え板である。押え板３１は中心部に筒状軸１３が貫通する径の穴が形成され、押え板３１は後に詳述するように、該穴の内壁面から、筒状軸１３の外周部に設けられた開口部１３ｄに突出し、その先端部が螺旋軸１２の螺旋溝１２−１ａ、１２−１ａ’に係合するピン（突起部）２１が設けられている。押え板３２は後に詳述するように、移動部材３３の外周部に係合し、該移動部材３３の軸方向への移動に連動して移動するようになっている。移動部材３３は前記ガイド板１８と同様に中心部に筒状軸１３が貫通する径の穴が形成されていて、該穴の内壁面から、筒状軸１３の外周部に設けられた開口部１３ｅに突出し、その先端部が螺旋軸１２の螺旋溝１２−２ａ、１２−２ａ’に係合するピン（突起部）２２が前後に設けられている。
【００２８】
上記構造のロール用紙セット軸３０において、操作つまみ１４を回転し、螺旋軸１２を回転させると、その回転方向により螺旋溝１２−１ａ、１２−１ａ’と１２−２ａ、１２−２ａ’に係合するピン２１及び２２を介して、押え板３１及び押え板３２は互いに該筒状軸１３に沿って接近又は離間するようにスムーズに移動する。従って、該一対の押え板３１及び押え板３２の間にセットされるロール用紙の幅寸法により、操作つまみ１４を回転させて、押え板３１及び３２は互いに接近又は離間させるロール用紙のセンタリングが容易で、且つ精度良く行うことができる。以下、上記用紙ガイドを構成する各部品の構成を説明する。
【００２９】
螺旋軸１２の構造は図２乃至図３に示す用紙ガイドのものと同一であるからその説明は省略する。また、操作つまみ１４も図６に示す用紙ガイドのものと同一であるからその説明は省略する。
【００３０】
図９は押え板３１の構造を示す図で、同図（ａ）は縦断面図、同図（ｂ）は右側面図である。押え板３１は両端が円弧状をなす長方形状でその中心部に筒状軸１３が貫通する穴３１ａが形成され、その１面にはロール用紙の端面が当接する４本のリブ３１ｂが形成され、反対面の穴３１ａの外周部には所定肉厚の小径部３１ｃが形成され、該小径部３１ｃの所定の位置には先端が螺旋軸部材１２−１の螺旋溝１２−１ａ、１２−１ａ’に係合するピン２１が嵌入される穴３１ｄが対称に２ケ形成されている。
【００３１】
図１０は前記移動部材３３の構造を示す図で、同図（ａ）は正面図、同図（ｂ）は右側面図、同図（ｃ）は平面図である。移動部材３３は円板状でその中心部に筒状軸１３が貫通する穴３３ａが形成され、その一端にはロール用紙の端面が当接する当接面３３ｂを有するフランジ部３３ｃが形成され、他端には押え板３２が係合する一対の突起部３３ｄ、３３ｄが上下に計４個設けられ、一対の係合突起部３３ｄと３３ｄの間には後に詳述する押え板３２の係合ピンが嵌合するピン嵌合溝３３ｅが形成され、更に前記フランジ部３３ｃと前記突起部３３ｄの間には押え板３２のガイド片が係合する溝３３ｆが形成されている。また、移動部材３３の所定の位置には先端が螺旋軸部材１２−２の螺旋溝１２−２ａ、１２−２ａ’に係合するピン２２が嵌入される穴３３ｇが対称に２ケ形成されている。
【００３２】
図１１は押え板３２の構造を示す図で、同図（ａ）は正面断面図（同図（ｂ）のＡ−Ａ断面）、同図（ｂ）は左側面図、同図（ｃ）は同図（ｂ）のＢ−Ｂ断面図である。押え板３２は両端が円弧状をなす長方形状でその中心部には前記移動部材３３を収める穴３２ａが形成され、穴３２ａの内面には対向して一対の係合ピン３２ｂ、３２ｂが形成され、該係合ピン３２ｂ、３２ｂのそれぞれの両側には所定の間隙を設けて一対のガイド片３２ｃ、３２ｃが設けられている。また、押え板３２の１面にはロール用紙の端面が当接する４本のリブ３２ｄが形成されている。
【００３３】
上記構造のロール用紙セット軸の組立ては、先ず、筒状軸１３の一端をプリンターの台板１１にビス２３で固定する。次に閉塞部１３ａの螺旋軸支持突起部１３ｂを螺旋軸部材１２−１の一端の穴１２−１ｄに挿入するように、螺旋軸１２を筒状軸１３内に収納する。続いて、筒状軸１３の一対の穴１３ｆにピン１６を嵌入してその先端が螺旋軸１２の回転案内溝１５に係合させる。次に、押え板３１のその中央部に設けられた穴３１ａに筒状軸１３を挿入すると共に、先端が螺旋軸部材１２−１の螺旋溝１２−１ａ、１２−１ａ’に係合するピン２１をそれぞれ嵌入して、押え板３１を取り付ける。
【００３４】
次に、移動部材３３をその中央部に設けられた穴３３ａに筒状軸１３を挿入すると共に、先端が螺旋軸部材１２−２の螺旋溝１２−２ａ、１２−２ａ’に係合するピン２２をそれぞれ嵌入して、移動部材３３を取り付ける。続いて、移動部材３３の外周の突起部３３ｄが無い部分に押え板３２の穴３２ａの係合ピン３２ｂ及びガイド片３２ｃのある部分を合わせ、該穴３２ａに移動部材３３の外周を挿入し、その後、押え板３２の係合ピン３２ｂ及びガイド片３２ｃが移動部材３３の溝３３ｆを通り、該係合ピン３２ｂ、３２ｂが溝３３ｅ、３３ｅに係合するまで押え板３２を回転し、押え板３２を移動部材に取り付ける。その後操作つまみ１４をその嵌入穴１４ａに螺旋軸１２の螺旋軸部材１２−２の嵌合突起部１２−２ｄを嵌入して取り付ける。
【００３５】
ロール用紙セット軸３０を上記構造とすることにより、一対の押え板３１と押え板３２との間隔を軸方向に互いに接近及び離間させてロール用紙幅に合わせるセンタリング機構は、筒状軸１３内に収納しているので、操作等において邪魔になることがなく、センタリング作業が容易で、且つ精度のよいセンタリングを行うことができる。押え板３１及び押え板３２を直接動かして位置を調整するのではなく、螺旋軸１２の回転により螺旋溝に係合するピン２１、２２を介して互いに筒状軸１３に沿って接近及び離間する構成なので、押え板３１及び押え板３２の軸方向にずれようとする力に対して抗力が大きく、押え板３１及び押え板３２の位置が設定した位置から簡単にずれることがない。
【００３６】
なお、ロール用紙セット軸３０では押え板３２を移動部材３３の外周に取り付ける構造としたが、これに代え、移動部材の外周に倒立可能で立てた状態でロール用紙端面に当接できるような部材、又は出没自在な部材で出た状態でロール用紙端面に当接できる部材を設け、これを押え板としてもよい。
【００３７】
また、筒状軸１３もその断面形状が円形に限らず、例えば楕円等、搬送される用紙やセットされたロール用紙内径が滑りやすい形状であればよい。また、螺旋軸１２の回転操作も操作つまみ１４による操作に限定されるものではなく、六角レンチが嵌合する穴を他端に設け、該孔に六角レンチを嵌合させて回転するようにしてもよい。また、プリンタ本体側から設定データに従ってモータ駆動により、ロールセット軸と用紙ガイド軸を同時に調整するようにしてもよい。
【００３８】
また、図１に示す用紙ガイドにおいて、ガイド板１７、１８を図１０に示す構造の移動部材を用いても良い。
【００３９】
図１２は上記用紙ガイド１０及びロール用紙セット軸３０を取り付けるプリンタの概略構成例を示す図である。図示するようにプリンターの台板１１に用紙ガイド１０、ロール用紙セット軸３０を取り付ける。４０は印字ヘッド４１やプラテン４２からなる印字部、４３は巻取軸、４４はレバーである。用紙ガイド１０とロール用紙セット軸３０のセンタリングは印字部４０の中心に合わせてある。上記構造のプリンタにおいて、レバー４４を回して印字ヘッド４１を上げて、用紙ガイド１０、ロール用紙セット軸３０を最大巾に広げた状態とし、ロール用紙セット軸３０にロール用紙ＲＷをセットする。その後、操作つまみ１４を回転し（例えばＣＬＯＳＥの方向に回転し）、上記センタリングを行う。
【００４０】
ロール用紙ＲＷはラベルが連続的に張付けられた用紙Ｗが巻回されたもので、ロール用紙ＲＷより繰り出された用紙Ｗは用紙ガイド１０に案内され、印字部４０に導かれる。該印字部４０では印字ヘッド４１によりラベルに印字され、用紙Ｗがプラテン４２の先端部で鋭角状に折り曲げられた状態で、ラベルは降りの用紙Ｗから剥離され、更に用紙Ｗは巻取軸４３に巻き取られる。
【００４１】
なお、本発明の用紙ガイド及びロール用紙セット軸を用いるプリンタはラベルプリンタに限定されるものではなく、カセット式プリンタのカセットやファックス、コピー機等、用紙のセンタリングを必要とするもの、ロール用紙のセンタリングを必要とするものに広く利用できる。
【００４２】
【発明の効果】
以上説明したように本発明によれば下記のような優れた効果が得られる。
【００４３】
請求項１又は２に記載の発明によれば、一対のガイド板又は一対の押え板の間隔を軸方向に互いに接近及び離間させて用紙幅又はロール用紙幅に合わせるセンタリング機構は、筒状軸内に収納しているので、操作等において邪魔になることがなく、センタリング作業が容易で、且つ精度のよいセンタリングを行うことができる。また、ガイド板又は押え板を直接操作して位置を調整するのではなく、螺旋軸の回転により螺旋溝に係合する突起部を介して互いに筒状軸に沿って接近及び離間する構成なので、ガイド板又は押え板の軸方向にずれようとする力に対して抗力が大きく、ガイド板又は押え板の位置が設定位置から簡単にずれることがない。また、筒状軸の略中央部に固定され螺旋軸の回転案内部に係合する係合部を設けたことにより、螺旋軸は筒状軸内で軸方向の位置が規制され、螺旋軸と筒状軸内の長さを無駄なく最大幅のロール用紙に対応させることができる。また、螺旋軸の略中央部は元々螺旋溝が不要な位置であるため、回転案内部や係合部からなる螺旋軸を回転案内する回転案内機構を設けても用紙ガイドの外観形状寸法に変化がなく、小型化が可能となる。
【００４４】
（２）請求項２に記載の発明によれば、上記センタリング機構はロール用紙の内径孔に入るので、センタリング機構の配置スペースを特別設けることがなくなり、省スペース化が図れる。
【００４５】
（３）請求項３に記載の発明によれば、台板側の反対側の押え部材は、移動部材に対して着脱自在な構成なので、この押え部材をロール用紙の内径よりも大きくすることで、ロール用紙の端面を確実に押えることができる。
【００４６】
（４）請求項４又は請求項５に記載の発明によれば、上記センタリング機構が小型になるので、プリンタも小型化できる。
【図面の簡単な説明】
【図１】請求項１に記載の発明に係る用紙ガイドの構造を示す縦断面図である。
【図２】螺旋軸の螺旋軸部材の構造を示す図で、同図（ａ）は正面図、同図（ｂ）は左側面図、同図（ｃ）は右側面図である。
【図３】螺旋軸の螺旋軸部材の構造を示す図で、同図（ａ）は正面図、同図（ｂ）は左側面図、同図（ｃ）は右側面図である。
【図４】筒状軸の構造を示す図で、同図（ａ）は正面図、同図（ｂ）は左側面図、同図（ｃ）は同図（ｂ）のＡ−Ａ断面図である。
【図５】ガイド板の構造を示す図で、同図（ａ）は正面図、同図（ｂ）は左側面図である。
【図６】操作つまみの構造を示す図で、同図（ａ）は一部断面正面図、同図（ｂ）は左側面図である。
【図７】請求項２に記載の発明に係るロール用紙セット軸の構造を示す縦断面図である。
【図８】移動部材と押え板の係合状態を示す図である。
【図９】押え板の構造を示す図で、同図（ａ）は縦断面図、同図（ｂ）は右側面図である。
【図１０】移動部材の構造を示す図で、同図（ａ）は正面図、同図（ｂ）は右側面図、同図（ｃ）は平面図である。
【図１１】押え板の構造を示す図で、同図（ａ）は縦断面図、同図（ｂ）は左側面図、同図（ｃ）は同図（ａ）のＢ−Ｂ断面図である。
【図１２】プリンタの概略構成例を示す図である。
【符号の説明】
１０            用紙ガイド
１１            プリンターの台板
１２            螺旋軸
１２−１        螺旋軸部材
１２−２        螺旋軸部材
１３            筒状軸
１４            操作つまみ
１５            回転案内溝
１６            ピン
１７            ガイド板
１８            ガイド板
２１            ピン
２２            ピン
３０            ロール用紙セット軸
３１            押え板
３２            押え板
３３            移動部材
【図１】
0003840766.tif 000002
【図２】
0003840766.tif 000003
【図３】
0003840766.tif 000004
【図４】
0003840766.tif 000005
【図５】
0003840766.tif 000006
【図６】
0003840766.tif 000007
【図７】
0003840766.tif 000008
【図８】
0003840766.tif 000009
【図９】
0003840766.tif 000010
【図１０】
0003840766.tif 000011
【図１１】
0003840766.tif 000012
【図１２】
0003840766.tif 000013